(57)【要約】筐体に形成された吸い込み口と熱交換器との間に回転自在の円盤状のエアフィルタを設け、このエアフィルタを回転駆動するエアフィルタ駆動手段と、エアフィルタに対向してエアフィルタに付着した塵埃を吸引するための吸い込みノズルが取り付けられた吸引ユニットとを設けることで、エアフィルタを自動的に清掃するようにした。
2004079270.tif 000002
【特許請求の範囲】
【請求項１】
筐体内に熱交換器と送風機とが収納された室内ユニットを有する空気調和機であって、
筐体に形成された吸い込み口と前記熱交換器との間に設けられた回転自在の円盤状のエアフィルタと、該エアフィルタを回転駆動するエアフィルタ駆動手段と、前記エアフィルタに対向してエアフィルタに付着した塵埃を吸引するための吸い込みノズルが取り付けられた吸引ユニットとを備えたことを特徴とする空気調和機。
【請求項２】
前記吸引ユニットが前記吸い込みノズルにより吸引した塵埃を捕集する捕集ユニットを備えたことを特徴とする請求項１に記載の空気調和機。
【請求項３】
前記吸い込みノズルにより吸引した塵埃を外部に排出するようにしたことを特徴とする請求項１に記載の空気調和機。
【請求項４】
前記エアフィルタはその外周部に形成されたラックを有するとともに、前記エアフィルタ駆動手段は前記ラックと噛合う歯車を有し、該歯車を回転させることにより前記ラックを介して前記エアフィルタを回転させるようにしたことを特徴とする請求項１乃至３のいずれか１項に記載の空気調和機。
【請求項５】
前記吸い込みノズルを前記吸引ユニットに揺動自在に取り付け、前記吸引ユニットの吸引動作が停止のとき、前記吸い込みノズルを前記エアフィルタの投影面の外に移動するようにしたことを特徴とする請求項１乃至４のいずれか１項に記載の空気調和機。
【請求項６】
前記エアフィルタを挟んで前記吸い込みノズルの反対側に吸い込みノズルと対向する遮蔽板を設けたことを特徴とする請求項１乃至５のいずれか１項に記載の空気調和機。
【請求項７】
前記遮蔽板を前記吸い込みノズルと一体的に形成したことを特徴とする請求項６に記載の空気調和機。
【請求項８】
前記遮蔽板の前記エアフィルタに対向する面積を前記吸い込みノズルの開口面積と等しいか大きく設定したことを特徴とする請求項６あるいは７に記載の空気調和機。
【請求項９】
前記吸い込みノズルの基端部が前記エアフィルタの略中心に配置され、前記吸い込みノズルの長さを前記エアフィルタの半径に略等しく設定したことを特徴とする請求項１乃至８のいずれか１項に記載の空気調和機。
【請求項１０】
前記エアフィルタを前記筐体に着脱自在に取り付けたことを特徴とする請求項１乃至９のいずれか１項に記載の空気調和機。
【発明の詳細な説明】
【技術分野】  本発明は、室内ユニットの空気吸入口に設けられたエアフィルタを自動的に清掃する機能を備えた空気調和機に関するものである。
【背景技術】  図９は従来の空気調和機の室内ユニットを示しており、空気と冷媒との熱交換を熱交換器９により行うが、吸入された空気に含まれる塵埃が室内ユニットの内部に入り込むのを防止するためエアフィルタ５を設けており、このエアフィルタ５は付着した塵埃を定期的に清掃する時の便宜を図るため着脱出来るよう構成されている。
一方、エアフィルタの清掃が容易な室内ユニットのエアフィルタ装置として、塵埃を除去するためのブラシを備えた吸引装置が広範囲に渡って移動するもの、あるいはベルト状のフィルタを備えたもの等が知られている（例えば特許文献１、特許文献２参照）。
【特許文献１】：特開平１１−２２６３３１号公報
【特許文献２】：特開平６−７４５２１号公報
しかしながら、従来のエアフィルタは、空気調和機の使用頻度に応じて室内ユニットよりエアフィルタを取り外し、水洗いもしくは掃除機などで付着した塵埃を掃除するという定期的なメンテナンスを要し、特に天井に埋め込まれたタイプにおいては非常な手間と労力を必要とする。また、定期的にメンテナンスが成されなかった場合、エアフィルタに塵埃が堆積して吸込み空気の通気抵抗が増大し、空気調和機の性能が低下したり、消費電力が増大するという課題があった。
また、構成が複雑になるという課題もあった。
本発明は、従来技術の有するこのような問題点に鑑みてなされたものであり、簡単な構成でエアフィルタに付着した塵埃を自動的に除去することが可能なエアフィルタの自動清掃機能付き室内ユニットを備えた空気調和機を提供することを目的としている。
【発明の開示】
上記目的を達成するため、本発明は、筐体内に熱交換器と送風機とが収納された室内ユニットを有する空気調和機であって、筐体に形成された吸い込み口と前記熱交換器との間に設けられた回転自在の円盤状のエアフィルタと、該エアフィルタを回転駆動するエアフィルタ駆動手段と、前記エアフィルタに対向してエアフィルタに付着した塵埃を吸引するための吸い込みノズルが取り付けられた吸引ユニットとを備えたことを特徴とする。
この構成によれば、円盤状のエアフィルタをエアフィルタ駆動手段で回転することにより、吸い込みノズルを移動させることなくエアフィルタに付着した塵埃を容易に除去することができる。
また、吸い込みノズルにより吸引した塵埃は吸引ユニットに設けられた捕集ユニットに捕集するか、外部に排出するようにしたので、室内空気を常にクリーンな状態に維持することができる。
さらに、エアフィルタはその外周部に形成されたラックを有するとともに、エアフィルタ駆動手段はラックと噛合う歯車を有し、この歯車を回転させることによりラックを介してエアフィルタを回転させるようにすると、エアフィルタの回転機構を簡素でコンパクトに構成することができる。
また、吸い込みノズルを吸引ユニットに揺動自在に取り付け、吸引ユニットの吸引動作が停止のとき、吸い込みノズルをエアフィルタの投影面の外に移動すると、吸い込みノズルが室内ユニットに吸い込まれる空気の抵抗となることはなく熱交換効率が向上する。
また、エアフィルタを挟んで吸い込みノズルの反対側に吸い込みノズルと対向する遮蔽板を設けると、吸い込みノズルに吸い込まれる空気の流入経路を制限することができ、集塵効率を向上することができる。さらに、遮蔽板と吸い込みノズルとを一体的に形成すると、簡素な構成で遮蔽板を吸い込みノズルとともに揺動させることができる。なお、遮蔽板のエアフィルタに対向する面積を吸い込みノズルの開口面積と等しいか大きく設定すると、集塵効率の向上の点で好ましい。
また、吸い込みノズルの基端部をエアフィルタの略中心に配置し、吸い込みノズルの長さをエアフィルタの半径に略等しく設定するのがよい。
上述した構成によりエアフィルタを自動的に清掃することができるが、エアフィルタを筐体に着脱自在に取り付けると、エアフィルタが油汚れした場合には、エアフィルタを筐体より取り外して清掃することができる。
【図面の簡単な説明】  図１は、本発明にかかる空気調和機の室内ユニットの断面図である。
図２は、図１の部分Ｉの拡大図である。
図３は、図１の部分ＩＩの拡大図である。
図４は、図１の部分ＩＩＩの拡大図である。
図５は、図１の室内ユニットに設けられている吸い込みノズルの斜視図である。
図６は、図１の室内ユニットに設けられているエアガイダの斜視図である。
図７は、吸い込みノズルとエアフィルタの底面図である。
図８は、吸い込みノズルの断面図である。
図９は、従来の空気調和機の室内ユニットの断面図である。
【発明を実施するための最良の形態】  以下、本発明の実施の形態について、図面を参照しながら説明する。
図１は本発明にかかる天井埋込型の空気調和機の室内ユニットの断面図であり、図２、図３、図４はそれぞれ図１のＩ、ＩＩ、ＩＩＩの拡大図である。図５は吸い込みノズルの斜視図、図６はエアガイダの斜視図、図７はエアフィルタと吸い込みユニットを下より見た図である。
本発明にかかる空気調和機の室内ユニットにおいては、室内空気は、本体ケーシング８の内部に配設され駆動モータ１１により駆動されるファン１０により前面グリル１に設けた吸い込みグリル６、エアフィルタ５、エアガイダー４を通過し、熱交換器９で熱交換され、吹き出し口１９に吹き出される。この間、空気に混在する塵埃はエアフィルタ５に付着し室内ユニットの内部に塵埃が付着しない構造となっている。エアフィルタ５は、図７に示すように円盤状のフレームにネット５ｃが前面に張られ、フレームの外周部にラック５ａが形成され、中央には、エアフィルタ５が回転するための回転中心となり且つエアガイダ４に取り付けるための取付孔５ｂを有しており、エアガイダ４に形成したエアフィルタ支持軸４ａ（図３）にビス１６により、回転自在に取り付けられている。
モータ１５はエアガイダ４に配設されるとともに歯車１４を有しており、モータ１５を駆動させると互いに噛合う歯車１４とエアフィルタ５のラック５ａを介してエアフィルタ５が回転する（図４）。
吸い込みノズル１２は、吸い込み部１２ａと開口部１２ｂを有し、エアフィルタ５の前面側に対峙するよう固定軸１２ｃ、１２ｄによって吸引ユニット１３に揺動自在に嵌めこまれている。吸い込み部１２ａはエアフィルタ５の半径にほぼ等しい長さであり、その基端部がエアフィルタ５の略中心に位置し、先端部がエアフィルタ５の外周部に位置している。
吸引ユニット１３には、吸引のためのファンと吸引した塵埃を捕集するためのユニット（図示せず）を備え、吸引ファンを動作させることにより、エアフィルタ５に付着した塵埃は吸い込みノズル１２の吸い込み部１２ａで吸引され、開口部１２ｂを通過し、捕集ユニットに至る。
吸い込みノズル１２は図２に示すように、固定軸１２ｃ、１２ｄを揺動軸として自由に揺動することが可能で、モータ１７と固定軸１２ｃはジョイント１８により互いに接続されている。吸い込みノズル１２が吸引動作を行なう時はモータ１７の操作によりエアフィルタ５の前部に移動し、吸引動作の必要が無い時はエアフィルタ５と重ならない位置に移動し、室内ユニットに外部より吸入される空気の抵抗となるのを防止する。
図６に示すように、エアガイダ４には、吸い込みノズル１２の吸い込み部１２ａとほぼ同等の面積を有する遮蔽板４ｂがエアフィルタ５を挟んで対峙する位置に設けられている。この遮蔽板４ｂは吸い込みノズル１２に吸い込まれる空気の流入経路を制限し、エアフィルタ５に付着した塵埃を集塵する効率を向上させるものである。
図８は遮蔽板の別の実施例を示しており、遮蔽板１２ｅは吸い込みノズル１２の吸い込み口１２ａとほぼ同等の面積を有し、エアフィルタ５を挟んで対峙する位置に、吸い込みノズル１２と一体に形成されている。前記遮蔽板４ｂと異なり、本実施例における遮蔽板１２ｅは吸引動作が停止の状態の時、吸い込みノズル１２とともにエアフィルタ５の投影面の外に移動してエアフィルタ５と対向しないように構成し、室内ユニットに吸い込まれる空気の抵抗となることを防止する。
エアフィルタ５はネジ１６でエアガイダ４に回転自在に固定されている。ネジ１６を取り外すことによりエアフィルタ５も取外しが可能であり吸引装置では取り除けない油などが付着した場合に取り外して清掃することが出来る。又、ネジ１６の代替としてエアフィルタ５の取り付け穴５ｂ又はエアガイダ４の支持軸４ａに可とう性を持たせ着脱を容易にすることも可能である。
なお、上記実施の形態において、吸い込みノズル１２により吸引した塵埃を捕集する捕集ユニットを吸引ユニット１３に設けたが、捕集ユニットを設けることなく吸い込みノズル１２の開口部１２ｂに可撓性ホースを接続し、吸い込みノズル１２により吸引した塵埃を可撓性ホースを介して外部に排出するようにしてもよい。
【図１】
2004079270.tif 000003
【図２】
2004079270.tif 000004
【図３】
2004079270.tif 000005
【図４】
2004079270.tif 000006
【図５】
2004079270.tif 000007
【図６】
2004079270.tif 000008
【図７】
2004079270.tif 000009
【図８】
2004079270.tif 000010
【図９】
2004079270.tif 000011
【手続補正書】
【提出日】平成16年7月26日(2004.7.26)
【手続補正００１】
【補正対象書類名】特許請求の範囲
【補正対象項目名】特許請求の範囲
【補正方法】変更
【補正の内容】
【請求項１】（補正後）筐体内に熱交換器と送風機とが収納された室内ユニットを有する天井埋込型の空気調和機であって、
筐体に形成された吸い込み口と前記熱交換器との間に設けられた略水平面内で回転自在の円盤状のエアフィルタと、該エアフィルタを回転駆動するエアフィルタ駆動手段と、前記エアフィルタに対向してエアフィルタの略中央から外周部に向かって半径方向に延在しエアフィルタに付着した塵埃をエアフィルタの半径方向外方に吸引するための吸い込みノズルが取り付けられた吸引ユニットとを備えたことを特徴とする空気調和機。
【請求項２】前記吸引ユニットが前記吸い込みノズルにより吸引した塵埃を捕集する捕集ユニットを備えたことを特徴とする請求項１に記載の空気調和機。
【請求項３】前記吸い込みノズルにより吸引した塵埃を外部に排出するようにしたことを特徴とする請求項１に記載の空気調和機。
【請求項４】前記エアフィルタはその外周部に形成されたラックを有するとともに、前記エアフィルタ駆動手段は前記ラックと噛合う歯車を有し、該歯車を回転させることにより前記ラックを介して前記エアフィルタを回転させるようにしたことを特徴とする請求項１乃至３のいずれか１項に記載の空気調和機。
【請求項５】前記吸い込みノズルを前記吸引ユニットに揺動自在に取り付け、前記吸引ユニットの吸引動作が停止のとき、前記吸い込みノズルを前記エアフィルタの投影面の外に移動するようにしたことを特徴とする請求項１乃至４のいずれか１項に記載の空気調和機。
【請求項６】前記エアフィルタを挟んで前記吸い込みノズルの反対側に吸い込みノズルと対向する遮蔽板を設けたことを特徴とする請求項１乃至５のいずれか１項に記載の空気調和機。
【請求項７】前記遮蔽板を前記吸い込みノズルと一体的に形成したことを特徴とする請求項６に記載の空気調和機。
【請求項８】前記遮蔽板の前記エアフィルタに対向する面積を前記吸い込みノズルの開口面積と等しいか大きく設定したことを特徴とする請求項６あるいは７に記載の空気調和機。
【請求項９】前記吸い込みノズルの基端部が前記エアフィルタの略中心に配置され、前記吸い込みノズルの長さを前記エアフィルタの半径に略等しく設定したことを特徴とする請求項１乃至８のいずれか１項に記載の空気調和機。
【請求項１０】前記エアフィルタを前記筐体に着脱自在に取り付けたことを特徴とする請求項１乃至９のいずれか１項に記載の空気調和機。




【手続補正書】
【提出日】平成17年10月20日(2005.10.20)
【手続補正１】
【補正対象書類名】特許請求の範囲
【補正対象項目名】全文
【補正方法】変更
【補正の内容】
【特許請求の範囲】
【請求項１】
筐体内に熱交換器と送風機とが収納された室内ユニットを有する天井埋込型の空気調和機であって、
筐体に形成された吸い込み口と前記熱交換器との間に設けられた略水平面内で回転自在の円盤状のエアフィルタと、該エアフィルタを回転駆動するエアフィルタ駆動手段と、前記エアフィルタに対向してエアフィルタの略中央から外周部に向かって半径方向に延在しエアフィルタに付着した塵埃をエアフィルタの半径方向外方に吸引するための吸い込みノズルが取り付けられた吸引ユニットとを備えたことを特徴とする空気調和機。
【請求項２】
前記吸引ユニットが前記吸い込みノズルにより吸引した塵埃を捕集する捕集ユニットを備えたことを特徴とする請求項１に記載の空気調和機。
【請求項３】
前記吸い込みノズルにより吸引した塵埃を外部に排出するようにしたことを特徴とする請求項１に記載の空気調和機。
【請求項４】
前記エアフィルタはその外周部に形成されたラックを有するとともに、前記エアフィルタ駆動手段は前記ラックと噛合う歯車を有し、該歯車を回転させることにより前記ラックを介して前記エアフィルタを回転させるようにしたことを特徴とする請求項１乃至３のいずれか１項に記載の空気調和機。
【請求項５】
前記吸い込みノズルを前記吸引ユニットに揺動自在に取り付け、前記吸引ユニットの吸引動作が停止のとき、前記吸い込みノズルを前記エアフィルタの投影面の外に移動するようにしたことを特徴とする請求項１乃至４のいずれか１項に記載の空気調和機。
【請求項６】
前記エアフィルタを挟んで前記吸い込みノズルの反対側に吸い込みノズルと対向する遮蔽板を設けたことを特徴とする請求項１乃至５のいずれか１項に記載の空気調和機。
【請求項７】
前記遮蔽板を前記吸い込みノズルと一体的に形成したことを特徴とする請求項６に記載の空気調和機。
【請求項８】
前記遮蔽板の前記エアフィルタに対向する面積を前記吸い込みノズルの開口面積と等しいか大きく設定したことを特徴とする請求項６あるいは７に記載の空気調和機。
【請求項９】
前記吸い込みノズルの基端部が前記エアフィルタの略中心に配置され、前記吸い込みノズルの長さを前記エアフィルタの半径に略等しく設定したことを特徴とする請求項１乃至８のいずれか１項に記載の空気調和機。
【請求項１０】
前記エアフィルタを前記筐体に着脱自在に取り付けたことを特徴とする請求項１乃至９のいずれか１項に記載の空気調和機。
【手続補正２】
【補正対象書類名】明細書
【補正対象項目名】全文
【補正方法】変更
【補正の内容】
【発明の詳細な説明】
【技術分野】
【０００１】
本発明は、室内ユニットの空気吸入口に設けられたエアフィルタを自動的に清掃する機能を備えた空気調和機に関するものである。
【背景技術】
【０００２】
図９は従来の空気調和機の室内ユニットを示しており、空気と冷媒との熱交換を熱交換器９により行うが、吸入された空気に含まれる塵埃が室内ユニットの内部に入り込むのを防止するためエアフィルタ５を設けており、このエアフィルタ５は付着した塵埃を定期的に清掃する時の便宜を図るため着脱出来るよう構成されている。
【０００３】
一方、エアフィルタの清掃が容易な室内ユニットのエアフィルタ装置として、塵埃を除去するためのブラシを備えた吸引装置が広範囲に渡って移動するもの、あるいはベルト状のフィルタを備えたもの等が知られている（例えば特許文献１、特許文献２参照）。
【特許文献１】特開平１１−２２６３３１号公報
【特許文献２】特開平６−７４５２１号公報
【０００４】
しかしながら、従来のエアフィルタは、空気調和機の使用頻度に応じて室内ユニットよりエアフィルタを取り外し、水洗いもしくは掃除機などで付着した塵埃を掃除するという定期的なメンテナンスを要し、特に天井に埋め込まれたタイプにおいては非常な手間と労力を必要とする。また、定期的にメンテナンスが成されなかった場合、エアフィルタに塵埃が堆積して吸込み空気の通気抵抗が増大し、空気調和機の性能が低下したり、消費電力が増大するという課題があった。
【０００５】
また、構成が複雑になるという課題もあった。
【０００６】
本発明は、従来技術の有するこのような問題点に鑑みてなされたものであり、簡単な構成でエアフィルタに付着した塵埃を自動的に除去することが可能なエアフィルタの自動清掃機能付き室内ユニットを備えた空気調和機を提供することを目的としている。
【発明の開示】
【０００７】
上記目的を達成するため、本発明は、筐体内に熱交換器と送風機とが収納された室内ユニットを有する空気調和機であって、筐体に形成された吸い込み口と前記熱交換器との間に設けられた回転自在の円盤状のエアフィルタと、該エアフィルタを回転駆動するエアフィルタ駆動手段と、前記エアフィルタに対向してエアフィルタに付着した塵埃を吸引するための吸い込みノズルが取り付けられた吸引ユニットとを備えたことを特徴とする。
【０００８】
この構成によれば、円盤状のエアフィルタをエアフィルタ駆動手段で回転することにより、吸い込みノズルを移動させることなくエアフィルタに付着した塵埃を容易に除去することができる。
【０００９】
また、吸い込みノズルにより吸引した塵埃は吸引ユニットに設けられた捕集ユニットに捕集するか、外部に排出するようにしたので、室内空気を常にクリーンな状態に維持することができる。
【００１０】
さらに、エアフィルタはその外周部に形成されたラックを有するとともに、エアフィルタ駆動手段はラックと噛合う歯車を有し、この歯車を回転させることによりラックを介してエアフィルタを回転させるようにすると、エアフィルタの回転機構を簡素でコンパクトに構成することができる。
【００１１】
また、吸い込みノズルを吸引ユニットに揺動自在に取り付け、吸引ユニットの吸引動作が停止のとき、吸い込みノズルをエアフィルタの投影面の外に移動すると、吸い込みノズルが室内ユニットに吸い込まれる空気の抵抗となることはなく熱交換効率が向上する。
【００１２】
また、エアフィルタを挟んで吸い込みノズルの反対側に吸い込みノズルと対向する遮蔽板を設けると、吸い込みノズルに吸い込まれる空気の流入経路を制限することができ、集塵効率を向上することができる。さらに、遮蔽板と吸い込みノズルとを一体的に形成すると、簡素な構成で遮蔽板を吸い込みノズルとともに揺動させることができる。なお、遮蔽板のエアフィルタに対向する面積を吸い込みノズルの開口面積と等しいか大きく設定すると、集塵効率の向上の点で好ましい。
【００１３】
また、吸い込みノズルの基端部をエアフィルタの略中心に配置し、吸い込みノズルの長さをエアフィルタの半径に略等しく設定するのがよい。
【００１４】
上述した構成によりエアフィルタを自動的に清掃することができるが、エアフィルタを筐体に着脱自在に取り付けると、エアフィルタが油汚れした場合には、エアフィルタを筐体より取り外して清掃することができる。
【発明を実施するための最良の形態】
【００１５】
以下、本発明の実施の形態について、図面を参照しながら説明する。
【００１６】
図１は本発明にかかる天井埋込型の空気調和機の室内ユニットの断面図であり、図２、図３、図４はそれぞれ図１のＩ、II、IIIの拡大図である。図５は吸い込みノズルの斜視図、図６はエアガイダの斜視図、図７はエアフィルタと吸い込みユニットを下より見た図である。
【００１７】
本発明にかかる空気調和機の室内ユニットにおいては、室内空気は、本体ケーシング８の内部に配設され駆動モータ１１により駆動されるファン１０により前面グリル１に設けた吸い込みグリル６、エアフィルタ５、エアガイダー４を通過し、熱交換器９で熱交換され、吹き出し口１９に吹き出される。この間、空気に混在する塵埃はエアフィルタ５に付着し室内ユニットの内部に塵埃が付着しない構造となっている。エアフィルタ５は、図７に示すように円盤状のフレームにネット５ｃが前面に張られ、フレームの外周部にラック５ａが形成され、中央には、エアフィルタ５が回転するための回転中心となり且つエアガイダ４に取り付けるための取付孔５ｂを有しており、エアガイダ４に形成したエアフィルタ支持軸４ａ（図３）にビス１６により、回転自在に取り付けられている。
【００１８】
モータ１５はエアガイダ４に配設されるとともに歯車１４を有しており、モータ１５を駆動させると互いに噛合う歯車１４とエアフィルタ５のラック５ａを介してエアフィルタ５が回転する（図４）。
【００１９】
吸い込みノズル１２は、吸い込み部１２ａと開口部１２ｂを有し、エアフィルタ５の前面側に対峙するよう固定軸１２ｃ、１２ｄによって吸引ユニット１３に揺動自在に嵌めこまれている。吸い込み部１２ａはエアフィルタ５の半径にほぼ等しい長さであり、その基端部がエアフィルタ５の略中心に位置し、先端部がエアフィルタ５の外周部に位置している。
【００２０】
吸引ユニット１３には、吸引のためのファンと吸引した塵埃を捕集するためのユニット（図示せず）を備え、吸引ファンを動作させることにより、エアフィルタ５に付着した塵埃は吸い込みノズル１２の吸い込み部１２ａで吸引され、開口部１２ｂを通過し、捕集ユニットに至る。
【００２１】
吸い込みノズル１２は図２に示すように、固定軸１２ｃ、１２ｄを揺動軸として自由に揺動することが可能で、モータ１７と固定軸１２ｃはジョイント１８により互いに接続されている。吸い込みノズル１２が吸引動作を行なう時はモータ１７の操作によりエアフィルタ５の前部に移動し、吸引動作の必要が無い時はエアフィルタ５と重ならない位置に移動し、室内ユニットに外部より吸入される空気の抵抗となるのを防止する。
【００２２】
図６に示すように、エアガイダ４には、吸い込みノズル１２の吸い込み部１２ａとほぼ同等の面積を有する遮蔽板４ｂがエアフィルタ５を挟んで対峙する位置に設けられている。この遮蔽板４ｂは吸い込みノズル１２に吸い込まれる空気の流入経路を制限し、エアフィルタ５に付着した塵埃を集塵する効率を向上させるものである。
【００２３】
図８は遮蔽板の別の実施例を示しており、遮蔽板１２ｅは吸い込みノズル１２の吸い込み口１２ａとほぼ同等の面積を有し、エアフィルタ５を挟んで対峙する位置に、吸い込みノズル１２と一体に形成されている。前記遮蔽板４ｂと異なり、本実施例における遮蔽板１２ｅは吸引動作が停止の状態の時、吸い込みノズル１２とともにエアフィルタ５の投影面の外に移動してエアフィルタ５と対向しないように構成し、室内ユニットに吸い込まれる空気の抵抗となることを防止する。
【００２４】
エアフィルタ５はネジ１６でエアガイダ４に回転自在に固定されている。ネジ１６を取り外すことによりエアフィルタ５も取外しが可能であり吸引装置では取り除けない油などが付着した場合に取り外して清掃することが出来る。又、ネジ１６の代替としてエアフィルタ５の取り付け穴５ｂ又はエアガイダ４の支持軸４ａに可とう性を持たせ着脱を容易にすることも可能である。
【００２５】
なお、上記実施の形態において、吸い込みノズル１２により吸引した塵埃を捕集する捕集ユニットを吸引ユニット１３に設けたが、捕集ユニットを設けることなく吸い込みノズル１２の開口部１２ｂに可撓性ホースを接続し、吸い込みノズル１２により吸引した塵埃を可撓性ホースを介して外部に排出するようにしてもよい。
【図面の簡単な説明】
【００２６】
【図１】本発明にかかる空気調和機の室内ユニットの断面図である。
【図２】図１の部分Ｉの拡大図である。
【図３】図１の部分IIの拡大図である。
【図４】図１の部分IIIの拡大図である。
【図５】図１の室内ユニットに設けられている吸い込みノズルの斜視図である。
【図６】図１の室内ユニットに設けられているエアガイダの斜視図である。
【図７】吸い込みノズルとエアフィルタの底面図である。
【図８】吸い込みノズルの断面図である。
【図９】従来の空気調和機の室内ユニットの断面図である。
【手続補正３】
【補正対象書類名】図面
【補正対象項目名】全図
【補正方法】変更
【補正の内容】
【図１】
2004079270.tif 000012
【図２】
2004079270.tif 000013
【図３】
2004079270.tif 000014
【図４】
2004079270.tif 000015
【図５】
2004079270.tif 000016
【図６】
2004079270.tif 000017
【図７】
2004079270.tif 000018
【図８】
2004079270.tif 000019
【図９】
2004079270.tif 000020
【国際調査報告】
2004079270.tif 000021
2004079270.tif 000022
2004079270.tif 000023
2004079270.tif 000024